(57)【要約】      （修正有）【課題】コンパクト化・軽量化及び折りたたみ時の厚みの薄さを達成した紙幣用の折りたたみ財布を提供する。【解決手段】第一の折り部２に、紙幣Ｐを保持するための第一の紙幣保持部３を備え、第二の折り部４に紙幣の第一の紙幣保持部３とは異なる長手方向の紙幣Ｐ部分を保持するための第二の紙幣保持部５を備え、各紙幣保持部が折りたたみ財布の折りたたみ時に折りたたみ財布１の厚み方向において重ならないように各折り部に接合された、紙幣Ｐを保持するための折りたたみ財布１。【選択図】図４
2020130852.tif 000002
【特許請求の範囲】
【請求項１】
紙幣を保持するための折りたたみ財布であって、
第一の折り部に、紙幣を保持するための第一の紙幣保持部を備え、
第二の折り部に、紙幣の前記第一の紙幣保持部とは異なる長手方向の紙幣部分を保持するための第二の紙幣保持部を備え、
前記第一の紙幣保持部と前記第二の紙幣保持部が、前記折りたたみ財布の折りたたみ時に前記折りたたみ財布の厚み方向において重ならないように、各々前記第一の折り部と前記第二の折り部に接合された
ことを特徴とする折りたたみ財布。
【請求項２】
紙幣を保持するための折りたたみ財布であって、
第一の折り部に、紙幣の長手方向の三分の一の長さ以上の部分を保持するための第一の紙幣保持部を備え、
第二の折り部に、紙幣の長手方向の三分の一の長さ以上の部分であって前記第一の紙幣保持部とは異なる長手方向の紙幣部分を保持するための第二の紙幣保持部を備え、
前記第一の紙幣保持部と前記第二の紙幣保持部が、前記折りたたみ財布の折りたたみ時に前記折りたたみ財布の厚み方向において重ならないように、各々前記第一の折り部と前記第二の折り部に接合された
ことを特徴とする折りたたみ財布。
【請求項３】
請求項１または請求項２に記載の折りたたみ財布において、
第三の折り部を有することにより三つ折り財布としたことを特徴とする折りたたみ財布。
【発明の詳細な説明】
【技術分野】
【０００１】
本発明は、紙幣用の折りたたみ財布に関する。
【背景技術】
【０００２】
コンパクト化・軽量化を図るための紙幣用の三つ折り財布または二つ折り財布において、紙幣を保持する内側板の底辺の一部を財布本体と接合しないことで弛み部分を無くした折りたたみ財布が開示されている（例えば、特許文献１参照）。
【０００３】
また、寸法が小さく折りたたみ時の厚みを薄くすることを図るための紙幣用の二つ折り財布において、当該二つ折り財布本体に二つの押さえ部を本体の下縁にそれぞれ接合した二つ折り財布が開示されている（例えば、特許文献２参照）。
【０００４】
しかし、これらの従来の紙幣用の折りたたみ財布は、折りたたみ時に三つ折り財布の場合は財布材料の五枚分の厚さ（例えば、特許文献１の三つ折り財布参照）、二つ折り財布の場合は財布材料の四枚分の厚さ（例えば、特許文献１の二つ折り財布、特許文献２参照）であるなど、折りたたみ時の十分な薄さを実現できていないという問題があった
【先行技術文献】
【特許文献】
【０００５】
【特許文献１】特開２０１２−１９６２９１号公報
【特許文献２】特開平９−２８５３２６号公報
【発明の概要】
【発明が解決しようとする課題】
【０００６】
本発明は、これら問題点に鑑み、折りたたみ時に十分な薄さを達成する紙幣用の折りたたみ財布を提供するものである。
【課題を解決するための手段】
【０００７】
本発明は、紙幣を保持するための折りたたみ財布であって、第一の折り部に、紙幣を保持するための第一の紙幣保持部を備え、第二の折り部に、紙幣の前記第一の紙幣保持部とは異なる長手方向の紙幣部分を保持するための第二の紙幣保持部を備え、前記第一の紙幣保持部と前記第二の紙幣保持部が、前記折りたたみ財布の折りたたみ時に前記折りたたみ財布の厚み方向において重ならないように、各々前記第一の折り部と前記第二の折り部に接合された折りたたみ財布であることを特徴とする。
【０００８】
また本発明は、紙幣を保持するための折りたたみ財布であって、第一の折り部に、紙幣の長手方向の三分の一の長さ以上の部分を保持するための第一の紙幣保持部を備え、第二の折り部に、紙幣の長手方向の三分の一の長さ以上の部分であって前記第一の紙幣保持部とは異なる長手方向の紙幣部分を保持するための第二の紙幣保持部を備え、前記第一の紙幣保持部と前記第二の紙幣保持部が、前記折りたたみ財布の折りたたみ時に前記折りたたみ財布の厚み方向において重ならないように、各々前記第一の折り部と前記第二の折り部に接合されたことを特徴とする。
【０００９】
さらに本発明は、前記折りたたみ財布において、第三の折り部を有することにより三つ折り財布とした折りたたみ財布であることを特徴とする。
【発明の効果】
【００１０】
本発明により、コンパクト化・軽量化及び折りたたみ時の厚みの薄さを達成した紙幣用の折りたたみ財布が提供される。
【図面の簡単な説明】
【００１１】
【図１】実施形態１における三つ折り財布の折りたたみ前の態様の一例を示す図である。
【図２】実施形態１における三つ折り財布の第一の折り部のみを折りたたんだ時の態様の一例を示す図である。
【図３】実施形態１における三つ折り財布の折り部を全て折りたたんだ時の態様の一例を示す図である。
【図４】実施形態２における三つ折り財布の折りたたみ前の態様の一例を示す図である。
【図５】実施形態２における三つ折り財布の第一の折り部のみを折りたたんだ時の態様の一例を示す図である。
【図６】実施形態３における二つ折り財布の折りたたみ前の態様の一例を示す図である。
【図７】実施形態３における二つ折り財布の第一の折り部を折りたたんだ時の態様の一例を示す図である。
【発明を実施するための形態】
【００１２】
以下、図面を参照して、本発明の折りたたみ財布の実施例を説明する。本発明の折りたたみ財布が幾つ折りであるかについては三つ折りまたは二つ折りに限定されるものでは無いが、一般市場的には折りたたみ財布は二つ折りか三つ折りであることが多い為、以下では本発明の折りたたみ財布を三つ折り財布および二つ折り財布に適用した例を示している。
【００１３】
本発明においては、単に「本発明の（又は本発明による）折りたたみ財布」と表現した場合であっても、「本発明の（又は本発明による）紙幣用の（すなわち紙幣を保持するための）折りたたみ財布」ということを意味する。
［実施形態１］
本実施例は、本発明による紙幣を保持するための折りたたみ財布を三つ折り財布として適用した例である。
（本実施例に係る折りたたみ財布の構造）
図１から図３を用いて、本実施例に係る折りたたみ財布１の構造について説明する。
【００１４】
図１は本実施例による三つ折り財布の折りたたみ前の形態を示した図である。図１の各部の配置は一例に過ぎず、図１と左右対称または上下対称の配置であっても良い。図２は図１の状態から第一の折り部２を第二の折り部４の上に折りたたんだ場合の形態を示した図である。図３は本実施例による三つ折り財布の折り部を全て折りたたんだ時（すなわち図２の状態からさらに第三の折り部６を折りたたんだ時）の形態を示した図である。折りたたみ構造としては前述に加え、最初に第三の折り部６を第二の折り部４に折りたたんだ後、第一の折り部２を折りたたむ構造であっても良いし、折りたたみの順番に依らずにどちらからでも折りたたむことができる構造であっても良い。
【００１５】
図１に示すように紙幣Ｐが載置される折りたたみ財布１の本体は、第一の折り部２と第二の折り部４と第三の折り部６とから構成され、各折り部とも形状は長方形で本体の略三分の一の面積である。図２および図３に示すように折りたたみ財布１は、第一の折り部２と第二の折り部４の境界位置と、第二の折り部４と第三の折り部６の境界位置で折りたたまれる。
【００１６】
図１に示すように第一の折り部２に、紙幣Ｐを保持するための第一の紙幣保持部３が接合され、第二の折り部４に、紙幣Ｐの第一の紙幣保持部３とは異なる長手方向の紙幣部分を保持するための第二の紙幣保持部５が接合されている。すなわち図１の位置関係から説明すると、紙幣Ｐの左端から右方向の部分が第一の紙幣保持部３により保持され、紙幣Ｐの中央付近の部分（第一の紙幣保持部３とは長手方向で重ならない部分）が第二の紙幣保持部５により保持される。
【００１７】
図１における第一の紙幣保持部３上および第二の紙幣保持部５上の破線は第一の折り部２と第一の紙幣保持部３、および、第二の折り部４と第二の紙幣保持部５が、縫合により接合されていることを示しているが、接合方法としては圧着による方法など縫合によるものでなくても良い。図１の位置関係から説明すると、第一の紙幣保持部３は紙幣Ｐが差し込めるように第一の折り部２の左辺および底辺位置に接合され、第二の紙幣保持部５は図１の紙面表面の垂直方向から上方向に折り返すことができるように第二の折り部４の上辺位置にのみ接合されている。
【００１８】
図２に示すように折りたたみ財布１の折りたたみ時において、第一の紙幣保持部３と第二の紙幣保持部５は、折りたたみ財布１の厚み方向において重ならないように、各々第一の折り部２と第二の折り部４に接合されている。図２における第一の折り部２上の破線は、第一の折り部２が折りたたまれたために見えなくなった第一の紙幣保持部３と第二の紙幣保持部５の位置関係を表したものである。前記破線で示すように、第一の紙幣保持部３と第二の紙幣保持部５は、前述の意味合いにおいて重ならないような配置・形状および大きさである必要がある。図１において第一の紙幣保持部３の配置は第一の折り部２の左下端、第二の紙幣保持部５の配置は第二の折り部４の左上端となっているが、第二の紙幣保持部５の配置は第一の紙幣保持部３と前述の意味合いにおいて重ならないのであれば、図１の配置より第二の折り部４上の右側であっても良い。図１および図２において第一の紙幣保持部３は台形、第二の紙幣保持部５は細長い（すなわち高さの短い）台形で示されているが、前述の意味合いにおいて重ならないものであれば、形状はどのようなもの（例えば長方形など）どのような形状の組合せ（例えば台形と長方形）であっても良い。さらに第二の紙幣保持部５の形状は、棒状（円柱形など）の形状であっても良い。各紙幣保持部の大きさは、折りたたみ財布１の長手方向においては、各備え付けられる折り部を超えない大きさである必要がある。
【００１９】
図１および図２に示す第二の紙幣保持部５は、第二の折り部４の上辺位置に接合されているが、各紙幣保持部同士が前述の意味合いにおいて重ならないものであれば、紙幣保持部の大きさや位置関係によっては第二の折り部４の底辺位置に接合するものであってもよい。
【００２０】
以上により、図１および図２に示すように紙幣保持部の総面積は単体の折り部の面積以下で足るので、従来の三つ折り財布と比較して軽量でかつ材料費を節約できる三つ折り財布を提供できる。また、本実施例による三つ折り財布は折りたたみ時に各紙幣折り部同士が前述の意味合いで重ならないので、紙幣の厚さを除いた財布全体の厚さとして財布材料の四枚分の厚さとなり、従来の三つ折り財布と比較して薄い三つ折り財布が提供できる。
（本実施例に係る折りたたみ財布の使用方法）
図１から図３を用いて、本実施例に係る折りたたみ財布１の使用方法について説明する。
【００２１】
図１の位置関係から説明すると、第二の紙幣保持部５を図１の紙面表面の垂直方向から上方向に折り返した状態で、第一の紙幣保持部３に紙幣Ｐを図１の右側から差し込み、第二の紙幣保持部５を図１の様に戻して、紙幣Ｐを図１の状態にして紙幣Ｐを保持する。第二の紙幣保持部５が第二の折り部４の底辺位置に接合される場合には、第二の紙幣保持部５を図１の紙面表面の垂直方向から下方向に折り返した状態で、第一の紙幣保持部３に紙幣Ｐを図１の右側から差し込み、第二の紙幣保持部５を戻して、紙幣Ｐを保持する。
【００２２】
折りたたみ財布１を折りたたむ際には、先ず図２に示すように第一の折り部２を第二の折り部４の上に折り返し、さらに図３に示す様に第三の折り部６を第二の折り部４の上に折り返す。または、図示はしていないが、先ず第三の折り部６を第二の折り部４の上に折り返し、さらに第一の折り部２を第三の折り部６の上に折り返す。
［実施形態２］
本実施例は、本発明による紙幣を保持するための折りたたみ財布を三つ折り財布として適用した別例である。
（本実施例に係る折りたたみ財布の構造）
図３から図５を用いて、本実施例に係る折りたたみ財布１の構造について説明する。
【００２３】
図４は本実施例による三つ折り財布の折りたたみ前の形態を示した図である。図４の各部の配置は一例に過ぎず、図４と左右対称または上下対称の配置であっても良い。図５は図４の状態から第一の折り部２を第二の折り部４の上に折りたたんだ場合の形態を示した図である。図３は本実施例による三つ折り財布の折り部を全て折りたたんだ時（すなわち図５の状態からさらに第三の折り部６を折りたたんだ時）の形態を示した図である。折りたたみ構造としては前述に加え、最初に第三の折り部６を第二の折り部４に折りたたんだ後、第一の折り部２を折りたたむ構造であっても良いし、折りたたみの順番に依らずにどちらからでも折りたたむことができる構造であっても良い。
【００２４】
図４に示すように紙幣Ｐが載置される折りたたみ財布１の本体は、第一の折り部２と第二の折り部４と第三の折り部６とから構成され、各折り部とも形状は長方形で本体の略三分の一の面積である。図５および図３に示すように折りたたみ財布１は、第一の折り部２と第二の折り部４の境界位置と、第二の折り部４と第三の折り部６の境界位置で折りたたまれる。
【００２５】
図４に示すように第一の折り部２に、紙幣Ｐの長手方向の三分の一の長さ以上の部分を保持するための第一の紙幣保持部３が接合され、第二の折り部４に、紙幣Ｐの長手方向の三分の一の長さ以上の部分であって第一の紙幣保持部３とは異なる長手方向の紙幣部分を保持するための第二の紙幣保持部５が接合されている。すなわち図４の位置関係から説明すると、紙幣Ｐの左端から右方向に紙幣Ｐの長手方向の三分の一の長さ以上の部分が第一の紙幣保持部３により保持され、紙幣Ｐの中央付近の長手方向の紙幣の三分の一の長さ以上の部分（第一の紙幣保持部３とは長手方向で重ならない部分）が第二の紙幣保持部５により保持される。折りたたみ財布１全体としては第一の紙幣保持部３と第二の紙幣保持部５により紙幣Ｐの長手方向の三分の二の長さ以上の部分が保持され、財布を開いた時にも十分な紙幣の保持力を有することになる。ここで例えば三分の一の長さ以上の部分とは、長さ的な三分の一以上の部分であることを意味し、面積的な三分の一以上の部分であることを意味しない。
【００２６】
図４における第一の紙幣保持部３上および第二の紙幣保持部５上の破線は第一の折り部２と第一の紙幣保持部３、および、第二の折り部４と第二の紙幣保持部５が、縫合により接合されていることを示しているが、接合方法としては圧着による方法など縫合によるものでなくても良い。図４の位置関係から説明すると、第一の紙幣保持部３は紙幣Ｐが差し込めるように第一の折り部２の左辺および底辺位置に接合され、第二の紙幣保持部５は図４の紙面表面の垂直方向から上方向に折り返すことができるように第二の折り部４の上辺位置にのみ接合されている。
【００２７】
図５に示すように折りたたみ財布１の折りたたみ時において、第一の紙幣保持部３と第二の紙幣保持部５は、折りたたみ財布１の厚み方向において重ならないように、各々第一の折り部２と第二の折り部４に接合されている。図５における第一の折り部２上の破線は、第一の折り部２が折りたたまれたために見えなくなった第一の紙幣保持部３と第二の紙幣保持部５の位置関係を表したものである。前記破線で示すように、第一の紙幣保持部３と第二の紙幣保持部５は、前述の意味合いにおいて重ならないような配置・形状および大きさである必要がある。各紙幣保持部の形状は図４および図５においては台形で示されているが、前述のように各紙幣保持部が紙幣Ｐの長手方向の三分の一の長さ以上の部分を保持できるものであり、かつ、前述の意味合いにおいて重ならないものであれば、形状はどのようなもの（例えば長方形など）どのような形状の組合せ（例えば台形と長方形）であっても良い。各紙幣保持部の大きさは、折りたたみ財布１の長手方向においては、前述のように各紙幣保持部が紙幣Ｐの長手方向の三分の一の長さ以上の部分を保持できるものであり、かつ、各備え付けられる折り部を超えない大きさである必要がある。折りたたみ財布１の短手方向（高さ方向）においては、各紙幣保持部同士が前述の意味合いにおいて重ならないように、折りたたみ財布１の折りたたみ時に図５に示すような各紙幣保持部同士による折りたたみ財布１の短手方向の隙間が形成されるような大きさである必要がある。
【００２８】
以上により、図４および図５に示すように紙幣保持部の総面積は紙幣の面積の略三分の一の面積（単体の折り部の面積以下）で足るので、従来の三つ折り財布と比較して軽量でかつ材料費を節約できる三つ折り財布を提供できる。また、本発明による三つ折り財布は折りたたみ時に各紙幣折り部同士が前述の意味合いで重ならないので、紙幣の厚さを除いた財布全体の厚さとして財布材料の四枚分の厚さとなり、従来の三つ折り財布と比較して薄い三つ折り財布が提供できる。さらに、三つ折り財布でありつつも財布を開いた時や折りたたみ時に十分な紙幣保持力を有するコンパクトな財布を提供できる。
（本実施例に係る折りたたみ財布の使用方法）
図３から図５を用いて、本実施例に係る折りたたみ財布１の使用方法について説明する。
【００２９】
図４の位置関係から説明すると、第二の紙幣保持部５を図４の紙面表面の垂直方向から上方向に折り返した状態で、第一の紙幣保持部３に紙幣Ｐを図４の右側から差し込み、第二の紙幣保持部５を図４の様に戻して、紙幣Ｐを図４の状態にして紙幣Ｐの長手方向の三分の二の長さ以上の部分を保持する。
【００３０】
折りたたみ財布１を折りたたむ際には、先ず図５に示すように第一の折り部２を第二の折り部４の上に折り返し、さらに図３に示す様に第三の折り部６を第二の折り部４の上に折り返す。または、図示はしていないが、先ず第三の折り部６を第二の折り部４の上に折り返し、さらに第一の折り部２を第三の折り部６の上に折り返す。
［実施形態３］
本実施例は、本発明による紙幣を保持するための折りたたみ財布を二つ折り財布として適用した例である。
（本実施例に係る折りたたみ財布の構造）
図４、および、図６から図７を用いて、本実施例に係る折りたたみ財布１の構造について説明する。図６は本実施例による二つ折り財布の折りたたみ前の形態を示した図である。図６の各部の配置は一例に過ぎず、図６と左右対称または上下対称の配置であっても良い。図７は図６の状態から第一の折り部２を第二の折り部４の上に折りたたんだ場合の形態を示した図である。
【００３１】
実施形態２の折りたたみ財布１との構造上の大きな相違点は、図４と図６に示すように、図６に第三の折り部６が無い点、それに伴い図６の紙幣保持部５が図１よりも紙幣Ｐの長手方向の右方向（紙幣Ｐの長手方向の中央位置より右）に配置されている点である。
【００３２】
図６に示すように紙幣Ｐが載置される折りたたみ財布１の本体は、第一の折り部２と第二の折り部４とから構成され、各折り部とも形状は略正方形で本体の二分の一の面積である。図７に示すように折りたたみ財布１は、第一の折り部２と第二の折り部４の境界位置で折りたたまれる。
【００３３】
図６に示すように第一の折り部２に、紙幣Ｐの長手方向の三分の一の長さ以上の部分を保持するための第一の紙幣保持部３が接合され、第二の折り部４に、紙幣の長手方向の三分の一の長さ以上の部分であって第一の紙幣保持部３とは異なる長手方向の紙幣部分を保持するための第二の紙幣保持部５が接合されている。すなわち図６の位置関係から説明すると、紙幣Ｐの左端から右方向に紙幣Ｐの長手方向の三分の一の長さ以上の部分が第一の紙幣保持部３により保持され、紙幣Ｐの右半分の長手方向の三分の一の長さ以上の部分（第一の紙幣保持部３とは長手方向で重ならない部分）が第二の紙幣保持部５により保持される。折りたたみ財布１全体としては第一の紙幣保持部３と第二の紙幣保持部５により紙幣Ｐの長手方向の三分の二の長さ以上の部分が保持され、財布を開いた時にも十分な紙幣の保持力を有することになる。
【００３４】
各折り部と各紙幣保持部との接合方法は、実施形態１と同様であるが、図６の位置関係から説明した場合に第二の紙幣保持部５が第二の折り部４の右端に接合される場合には、第二の折り部４の右辺及び上辺位置に接合されても良い（図示はされていない）。これは図６に示すように、第二の折り部４に載置される紙幣Ｐは紙幣Ｐの長手方向の右側半分部分であって、かつ、第二の紙幣保持部５が保持すべきは紙幣Ｐの長手方向の三分の一の長さ以上の部分であるため、第二の紙幣保持部５の接合位置は第二の折り部４の左端から右端の間の任意の位置となり得るからである。図６に示すのは、第二の紙幣保持部５の接合位置を第二の折り部４の左端とした場合である。
【００３５】
図７に示すように折りたたみ財布１の折りたたみ時において、第一の紙幣保持部３と第二の紙幣保持部５は、折りたたみ財布１の厚み方向において重ならないように、各々第一の折り部２と第二の折り部４に接合されている。図７における第一の折り部２上の破線は、第一の折り部２が折りたたまれたために見えなくなった第一の紙幣保持部３と第二の紙幣保持部５の位置関係を表したものである。第一の紙幣保持部３と第二の紙幣保持部５が、前述の意味合いにおいて重ならないような配置・形状および大きさであるための条件は、実施形態１と同様である。
【００３６】
以上により、図６および図７に示すように紙幣保持部の総面積は紙幣の面積の略三分の一の面積で足るので、従来の二つ折り財布と比較して軽量でかつ材料費を節約できる二つ折り財布を提供できる。また、本発明による二つ折り財布は折りたたみ時に各紙幣折り部同士が前述の意味合いで重ならないので、紙幣の厚さを除いた財布全体の厚さとして財布材料の三枚分の厚さとなり、従来の二つ折り財布と比較して薄い二つ折り財布が提供できる。
（本実施例に係る折りたたみ財布の使用方法）
図６から図７を用いて、本実施例に係る折りたたみ財布１の使用方法について説明する。
【００３７】
図６の位置関係から説明すると、第二の紙幣保持部５を図６の紙面表面の垂直方向から上方向に折り返した状態で、第一の紙幣保持部３に紙幣Ｐを図６の右側から差し込み、第二の紙幣保持部５を図６の様に戻して紙幣Ｐを図６の状態にして紙幣Ｐの長手方向の三分の二の長さ以上の部分を保持する。第二の紙幣保持部５が第二の折り部４の右端であって第二の折り部４の右辺及び上辺位置に接合されている場合には、先ず第一の紙幣保持部３に紙幣Ｐを図６の右側から差し込み次に第二の紙幣保持部５に紙幣Ｐを図６の左側から差し込むか、その逆の順序で紙幣Ｐを差し込み、紙幣Ｐの長手方向の三分の二の長さ以上の部分を保持する。
【００３８】
折りたたみ財布１を折りたたむ際には、図７に示すように第一の折り部２を第二の折り部４の上に折り返す、または図示はしていないが、第二の折り部４を第一の折り部２の上に折り返す。  
【産業上の利用可能性】
【００３９】
以上のように、本発明による折りたたみ財布は、コンパクトで軽量かつ材料費を節約可能で折りたたみ時の厚みの薄い折りたたみ財布を提供できる点で有用である。
【符号の説明】
【００４０】
１：折りたたみ財布
２：第一の折り部
３：第一の紙幣保持部
４：第二の折り部
５：第二の紙幣保持部
６：第三の折り部
【図１】
2020130852.tif 000003
【図２】
2020130852.tif 000004
【図３】
2020130852.tif 000005
【図４】
2020130852.tif 000006
【図５】
2020130852.tif 000007
【図６】
2020130852.tif 000008
【図７】
2020130852.tif 000009
【手続補正書】
【提出日】令和1年11月28日(2019.11.28)
【手続補正１】
【補正対象書類名】特許請求の範囲
【補正対象項目名】全文
【補正方法】変更
【補正の内容】
【特許請求の範囲】
【請求項１】
紙幣を保持するための折りたたみ財布であって、
第一の折り部に、紙幣の長手方向の三分の一の長さ以上の部分を押さえて摩擦により保持するための第一の紙幣保持部を備え、
第二の折り部に、紙幣の長手方向の三分の一の長さ以上の部分であって前記第一の紙幣保持部とは異なる長手方向の紙幣部分を押さえて摩擦により保持するための第二の紙幣保持部を備え、
前記第一の紙幣保持部と前記第二の紙幣保持部が、前記折りたたみ財布の折りたたみ時に前記折りたたみ財布の厚み方向において重ならないようにかつ各々が紙幣の長手方向の対辺の位置関係となるように、各々前記第一の折り部と前記第二の折り部に接合された
ことを特徴とする折りたたみ財布。
【請求項２】
請求項１に記載の折りたたみ財布において、
第三の折り部を有することにより三つ折り財布としたことを特徴とする折りたたみ財布。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
本発明は、紙幣を保持するための折りたたみ財布であって、第一の折り部に、紙幣の長手方向の三分の一の長さ以上の部分を押さえて摩擦により保持するための第一の紙幣保持部を備え、第二の折り部に、紙幣の長手方向の三分の一の長さ以上の部分であって前記第一の紙幣保持部とは異なる長手方向の紙幣部分を押さえて摩擦により保持するための第二の紙幣保持部を備え、前記第一の紙幣保持部と前記第二の紙幣保持部が、前記折りたたみ財布の折りたたみ時に前記折りたたみ財布の厚み方向において重ならないようにかつ各々が紙幣の長手方向の対辺の位置関係となるように、各々前記第一の折り部と前記第二の折り部に接合されたことを特徴とする。